(57)【要約】【課題】  耐加重性や耐衝撃性に優れる梱包箱を提供する。【解決手段】  本発明の梱包箱１において、端板５は巻板３の下板部７の内面端部に下板貼付け部２１と、一側板貼付け部２３と、他側板貼付け部２５とを貼り付けており、一側板貼付け部２１には一側中間板部２７が連続し、他側板貼付け部２５には他側中間板部２９が連続し、下板貼付け部２１には外面板部が連続し、外面板部３１には端上面板部３３が連続し、端上面板部３３には内面板部３５が連続しており、内面板部３５は嵌合突起３７を有し、下板貼付け部２１は嵌合突起３７が嵌合する嵌合凹部１５を有し、一側中間板部２７と他側中間板部２９とを内外に重合して重合中間板部４３を形成してあり、外面板部３１と内面板部３５とで重合中間板部４３を挟んで巻板３の端面を塞いでいる。【選択図】      図１
2006137429.tif 000002
【特許請求の範囲】
【請求項１】
巻板と、端板とを備え、巻板は下板部と、下板部の一側端部に連続する一側板部と、下板部の他側端部に連続する他側板部と、他側板部に連続する上板部とを有し、端板は下板部の内面端部に貼付ける下板貼付け部と、一側板部の内面端部に貼付ける一側板貼付け部と、他側板部の内面端部に貼付ける他側板貼付け部と、一側板貼付け部から連続する一側中間板部と、他側板貼付け部から連続する他側中間板部と、下板貼付け部から連続する外面板部と、外面板部から連続し且つ上板部を受ける端上面板部と、端上面板部から連続する内面板部とを有し、内面板部は嵌合突起を有し、一側及び他側板貼付け部の両方又は下板貼付け部に嵌合突起が嵌合する嵌合凹部を有し、一側中間板部と他側中間板部とを内外に重合して重合中間板部を形成してあり、外面板部を重合中間板部の外側に配置すると共に、内面板部を重合中間板部の内側に配置し、外面板部と、重合中間板部と、内面板部とで巻板の端面を塞いであることを特徴とする梱包箱。
【請求項２】
一側中間板部は係合凹部を有し、他側中間板部は一側中間板部の係合凹部に対して上下方向から係合する被係合凹部を有することを特徴とする請求項１に記載の梱包箱。
【請求項３】
端板は、端上面板部から連続し且つ一側板部の上端に載置する一側受け板部を有し、一側受け板部は端上面板部と同一面を成すことを特徴とする請求項１に記載の梱包箱。
【請求項４】
端板は、端上面板部から連続し且つ一側板部の上端に載置する一側受け板部と、一側板貼付け部から連続し且つ一側受け板部を支持する一側支持板部と、端上面板部から連続し且つ他側板部の上端に載置する他側受け板部と、他側板貼付け部から連続し且つ他側受け板部を支持する他側支持板部とを有することを特徴とする請求項１に記載の梱包箱。
【請求項５】
端板は、内面板部の一側端部から連続し且つ一側板部に沿うと共に端面が重合中間板部に当接する一側当接板部と、内面板部の他側端部から連続し且つ他側板部に沿うと共に端面が重合中間板部に当接する他側当接板部とを有することを特徴とする請求項１に記載の梱包箱。
【請求項６】
端板は、内面板部から連続し且つ下板貼付け部の上面に沿うと共に端面が重合中間板部に当接する下板部側当接板部を有することを特徴とする請求項１に記載の梱包箱。
【発明の詳細な説明】
【技術分野】
【０００１】
本発明は、梱包箱に関する。
【背景技術】
【０００２】
特許文献１には、巻板と、巻板の内面端部に端板を貼り付けて巻板の端面を端板で塞ぐと共に、端板には内面板部と外面板部と端上面板部を設けた梱包箱が開示されている。
【０００３】
【特許文献１】特開昭６３−２８１９４９号公報
【発明の開示】
【発明が解決しようとする課題】
【０００４】
一般に、梱包箱に被収納物を収納して積み上げると、梱包箱が重みにより変形して潰れ、被収納物に損傷を与えたり、荷崩れを起こすことがある。
特に、被収納物が金属材等の重い物である場合には、特許文献１に開示の梱包箱のように端板に内面板部と外面板部と端上面板部を設けただけでは、梱包箱を積み上げたときに小口（端部）の変形を受け易いと共に、取扱いが手荒になって梱包箱の角をぶつけたりして小口の変形が生じやすいという問題がある。
このため、加重や衝撃に強い梱包箱が望まれている。
【０００５】
そこで、本発明は、耐加重性や耐衝撃性に優れる梱包箱の提供を目的とする。
【課題を解決するための手段】
【０００６】
請求項１に記載の発明は、巻板と、端板とを備え、巻板は下板部と、下板部の一側端部に連続する一側板部と、下板部の他側端部に連続する他側板部と、他側板部に連続する上板部とを有し、端板は下板部の内面端部に貼付ける下板貼付け部と、一側板部の内面端部に貼付ける一側板貼付け部と、他側板部の内面端部に貼付ける他側板貼付け部と、一側板貼付け部から連続する一側中間板部と、他側板貼付け部から連続する他側中間板部と、下板貼付け部から連続する外面板部と、外面板部から連続し且つ上板部を受ける端上面板部と、端上面板部から連続する内面板部とを有し、内面板部は嵌合突起を有し、一側及び他側板貼付け部の両方又は下板貼付け部に嵌合突起が嵌合する嵌合凹部を有し、一側中間板部と他側中間板部とを内外に重合して重合中間板部を形成してあり、外面板部を重合中間板部の外側に配置すると共に、内面板部を重合中間板部の内側に配置し、外面板部と、重合中間板部と、内面板部とで巻板の端面を塞いであることを特徴とする。
【０００７】
請求項２に記載の発明は、請求項１に記載の発明において、一側中間板部は係合凹部を有し、他側中間板部は一側中間板部の係合凹部に対して上下方向から係合する被係合凹部を有することを特徴とする。
【０００８】
請求項３に記載の発明は、請求項１に記載の発明において、端板は、端上面板部から連続し且つ一側板部の上端に載置する一側受け板部を有し、一側受け板部は端上面板部と同一面を成すことを特徴とする。
【０００９】
請求項４に記載の発明は、請求項１に記載の発明において、端板は、端上面板部から連続し且つ一側板部の上端に載置する一側受け板部と、一側板貼付け部から連続し且つ一側受け板部を支持する一側支持板部と、端上面板部から連続し且つ他側板部の上端に載置する他側受け板部と、他側板貼付け部から連続し且つ他側受け板部を支持する他側支持板部とを有することを特徴とする。
【００１０】
請求項５に記載の発明は、請求項１に記載の発明において、端板は、内面板部の一側端部から連続し且つ一側板部に沿うと共に端面が重合中間板部に当接する一側当接板部と、内面板部の他側端部から連続し且つ他側板部に沿うと共に端面が重合中間板部に当接する他側当接板部とを有することを特徴とする。
【００１１】
請求項６に記載の発明は、請求項１に記載の発明において、端板は、内面板部から連続し且つ下板貼付け部の上面に沿うと共に端面が重合中間板部に当接する下板部側当接板部を有することを特徴とする。
【発明の効果】
【００１２】
請求項１に記載の発明によれば、端板には外面板部と内面板部との間に重合中間板部を設けて、重合中間板部は２枚の中間板部を内外に重ねているので強度が高く、耐加重性や耐衝撃性に優れる。
内面板部は嵌合突起を、下板貼付け部又は、一側及び他側板貼付け部の嵌合凹部に嵌合して固定しているから、接着テープ等が必要なく内面板部の固定が容易にできる。
端板は巻板に貼り付けているので、巻板よりも強度の高い材質のものを用いることもできるから、同種の巻板を用いて梱包箱の端部の強度を更に高めることができる。
巻板や端板はそれぞれ展開したときには一枚板であるから、組立てが容易であると共に使用後にはスペースを取らないで済む。
【００１３】
請求項２に記載の発明によれば、請求項１に記載の発明と同様な作用効果を奏すると共に、一側中間板部と他側中間板部とは係合により重合しているので、接着テープ等が必要なく組立て易い。
【００１４】
請求項３に記載の発明によれば、請求項１に記載の発明と同様な作用効果を奏すると共に、一側受け板部を一側板部の上端に載置して角部にかかる加重を一側受け板部の面で受けることができるので、一側板部の角部における強度を高めることができる。
【００１５】
請求項４に記載の発明によれば、請求項１に記載の発明と同様な作用効果を奏すると共に、一側受け板部を一側板部の上端に載置すると共に一側支持板部で支持し、他側受け板部は他側支持板部で支持するので、一側板部と他側板部の両角部にかかる加重を各々受け板部の面で受けることができ、両角部における強度を高めることができる。
【００１６】
請求項５に記載の発明によれば、請求項１に記載の発明と同様な作用効果を奏すると共に、内面板部に設けた一側当接板部と他側当接板部との端面が各々重合中間板部に当接して重合中間板部の重合を保持しているので、梱包箱端部の強度を更に高めることができる。
一側当接板部と他側当接板部との端面が各々重合中間板部に当接することにより内面板部と重合中間板部との間には空間ができるので、例えば被収納部を収納した梱包箱の輸送中の急ブレーキや手荒な取扱いにより被収納物が梱包箱内を移動して内面板部にぶつかった場合に、内面板部が変形しても重合中間板部や外面板部の変形を防止できる。
【００１７】
請求項６に記載の発明によれば、請求項１に記載の発明と同様な作用効果を奏すると共に、内面板部に設けた下板部側当接部が重合中間板部に当接して重合を保持しているので、梱包箱端部の強度を更に高めることができる。
下板部側当接板部の端面が重合中間板部に当接することにより内面板部と重合中間板部との間には空間ができるので、例えば被収納部を収納した梱包箱の輸送中の急ブレーキや手荒な取扱いにより被収納物が梱包箱内を移動して内面板部にぶつかった場合に、内面板部が変形しても重合中間板部や外面板部の変形を防止できる。
【発明を実施するための最良の形態】
【００１８】
以下に、図１〜図３を参照して本発明の第１実施の形態を説明する。図１は第１実施の形態にかかる梱包箱の組立て工程を示す図であり、図２（ａ）は図１に示す梱包箱を組み立てた状態を示す斜視図であり、図２（ｂ）は（ａ）のＡ−Ａ位置で切断した断面図である。
第１実施の形態にかかる梱包箱１は、展開した巻板３と端板５、５とを組み立てて作られており、各端板５は巻板３の一端部と他端部とに貼り付けてある。巻板３と端板５、５は各々段ボール紙製である。巻板３は下板部７と、下板部７の一側に連続する一側板部９と、下板部７の他側に連続する他側板部１１と、他側板部１１に連続する上板部１３とを有しており、各板部は展開した板に折り曲げ線（図１中の一点鎖線）により区画されている。上板部１３にはフラップ１４が連続して設けてある。
端板５は下板部７の内面端部に貼付ける下板貼付け部２１と、一側板部９の内面端部に貼付ける一側板貼付け部２３と、他側板部１１の内面端部に貼付ける他側板貼付け部２５と、一側板貼付け部２３から連続する一側中間板部２７と、他側板部貼付け部２５から連続する他側中間板部２９と、下板貼付け部２１から連続する外面板部３１と、外面板部から連続する端上面板部３３と、端上面板部３３から連続する内面板部３５とを有している。
下板貼付け部２１には嵌合凹部１５が形成されている。嵌合凹部１５は貫通孔である。
内面板部３５の端部には嵌合突起３７が形成されており、嵌合突起３７は下板貼り付け部２１の嵌合凹部１５に嵌合するようになっている。
一側中間板部２７には係合凹部３９が形成してあり、他側中間板部２９には被係合凹部４１が形成してあり、係合凹部３９と被係合凹部４１とは互いに上下方向から係合するようになっている。一側中間板部２７と他側中間板２９とは内外に重合して係合凹部３９と被係合凹部４１とで係合により止めることにより、重合中間板部４３を形成している。
【００１９】
次に、本実施の形態にかかる梱包箱１の組立て、作用及び効果について説明する。
巻板３を展開した状態で巻板３に別体の端板５を貼付ける（図１（ａ）（ｂ））。端板５の貼付けは、下板部７の内面端部に下板貼付け部２１を、一側板部９の内面端部に一側板貼付け部２３を、他側板部１１の内面端部に他側板貼付け部２５を貼付けて行う。
巻板３に端板５を張り付けた後、巻板３を各折り目から折り曲げて、下板部７の一側に一側板部９を、他側に他側板部１１を立設し、他側板部１１の上端に上板部１３を形成する。そして、一側中間板部２７を一側板貼付け部２３から折り曲げ、他側中間板部２９を他側板貼付け部２５から折り曲げ、一側中間板部２７と他側中間板部２９を上下方向から係合部３９と被係合部４１とを係合して一側中間板部２７と他側中間板部とを内外に重合して重合中間板部４３を形成する（図１（ｃ））。
次に、下板貼付け部２１から外面板部３１を折り曲げ、外面板部３１から端上面板部３３を折り曲げ、端上面板部３３から内面板部３５を折り曲げて、重合中間板部４３の外側に外面板部を配置し、重合中間板部４３の内側に内面板部３５を配置して内面板部３５の端部にある嵌合突起３７を嵌合凹部１５に嵌合して固定し、外面板部３１と重合中間板部４３と、内面板部３５とで巻板３の端面を塞ぐ（図１（ｄ））。
端板５には外面板部３１と内面板部３５との間に重合中間板部５３を設けていると共に、重合中間板部４３は２枚の中間板部２７、２９を内外に重ねて構成しており、梱包箱１の端部が４重構造になっているので強度が高く、耐加重性や耐衝撃性に優れる。
端板５の内面板部３５は嵌合突起３７を下板貼付け部２１の嵌合凹部１５に嵌合して固定しているから、接着テープ等が必要なく内面板部３５の固定が容易にできる。
端板５は巻板３に貼り付けているので、巻板よりも強度の高い材質のものを用いることもできるから、同種の巻板を用いて梱包箱の端部の強度を高めることができる。
巻板３や端板５はそれぞれ展開したときには一枚板であるから、組立てが容易であると共に使用後にはスペースを取らないで済む。
一側中間板部２７と他側中間板部２９とは係合凹部３９と被係合凹４１との係合により重合しているので接着テープ等が必要なく組立てが容易である。
【００２０】
以下に、他の実施の形態を説明するが、以下に説明する実施の形態において、上述した第１実施の形態と同一の作用効果を奏する部分には同一の符号を付することにより、その部分の詳細な説明を省略し、以下の説明では上述した第１実施の形態と主に異なる点について説明する。
図３及び図４を参照して第２実施の形態にかかる梱包箱について説明する。図３（ａ）は第２実施の形態にかかる端板の展開図であり、図３（ｂ）は第２実施の形態にかかる梱包箱を図２（ａ）のＢ−Ｂ位置で切断すると共に上板部を除いて示す斜視図であり、図４（ａ）は第２実施の形態にかかる梱包箱を図２（ａ）のＡ−Ａ位置で切断した断面図であり、図４（ｂ）は第２実施の形態にかかる梱包箱を図２（ａ）のＣ−Ｃ位置で切断した断面図である。
この第２実施の形態では、端板５に端上面板部３３から連続した一側受け板部４７と他側受け板部４９を設けると共に、一側板貼付け部２３から連続した一側支持板部５１と、他側板貼付け部２５から連続した他側支持板部５３とを設けたことが第１実施の形態と異なる。一側受け板部４７と他側受け板部４９とは、内面板部３５に略１／４円の切込み線４８を入れて形成してある。
梱包箱１を組み立てた状態では、一側受け板部４７は一側板部９の上端に載置すると共に一側支持板部５１に載置しており、他側受け板部４９は他側支持板部５３に載置している。
この第２実施の形態では、第１実施の形態と同様な作用効果を奏すると共に、一側板部９側の上角部にかかる加重を一側受け板部４７の面で受けるので一側板部９にある角部の強度を高めることができる。一側受け板部４７は一側板部９の上端部と一側支持板部５３とで支持するので更に角部の強度が高い。
また、他側受け板部４９は他側支持板部５３で支持し他側板部１１の上角部にかかる加重を他側受け板部４９の面で受けるので、他側板部１１にある角部の強度を高めることができる。
本実施の形態では、一側板部９と他側板部１１との各角部の強度を高めることができる。
【００２１】
図５及び図６を参照して第３実施の形態にかかる梱包箱について説明する。図５（ａ）は第３実施の形態にかかる端板の展開図であり、図５（ｂ）は第２実施の形態にかかる梱包箱を図２（ａ）のＢ−Ｂ位置で切断すると共に上板部を除いて示す斜視図であり、図６は第３実施の形態にかかる梱包箱を図２（ａ）のＡ−Ａ位置で切断した断面図である。
この第３実施の形態では、端板５において内面板部３５の一側端部に端面が重合中間板部４３に当接する一側当接板部５５を設け、他側端部に端面が重合中間板部４３に当接する他側当接板部５７を設けたことが第１実施の形態と異なる。
一側当接板部５５は、内面板部３５の一側端部から連続して設けてあり、組み立てた状態では巻板３の一側板部９に沿うと共に端面が重合中間板部４３に当接する。他側当接板部５７は、内面板部３５の他側端部から連続して設けてあり且つ組み立てた状態では巻板３の他側板部１１に沿うと共に端面が重合中間板部４３に当接する。
この第３実施の形態では、第１実施の形態と同様な作用効果を奏すると共に、重合中間板部４３は一側当接板部５５と他側当接板部５７との端面に当接して重合状態を保持しているので加重に対して更に変形し難く、梱包箱端部の強度を更に高めることができる。
一側当接板部５５と他側当接板部５７との端面が各々重合中間板部４３に当接することにより内面板部３５と重合中間板部４３との間には空間ができるので、例えば被収納部を収納した梱包箱の輸送中の急ブレーキや手荒な取扱いにより被収納物が梱包箱１内を移動して内面板部３５にぶつかった場合に、内面板部３５が変形しても重合中間板部４３や外面板部３１の変形を防止できる。
【００２２】
図７を参照して第４実施の形態にかかる梱包箱について説明する。図７（ａ）は第４実施の形態にかかる端板の展開図であり、図７（ｂ）は第４実施の形態にかかる梱包箱を図２（ａ）のＡ−Ａ位置で切断した断面図である。
第４実施の形態では、第３実施の形態にかかる端板５において、更に端面が重合中間板部４３に当接する下板部側当接板部５９設けている。下板部側当接板部５９は内面板部３５から連続して設けてあり且つ組み立てた状態において下板貼付け部２１の上面に沿って設けている。嵌合突起３７は切込み線３８により形成してある。
この第４実施の形態では、第３実施の形態と同様な作用効果を奏すると共に、重合中間板部４３は内面板部３５に設けた下板部側当接部５９によっても、下板部側当接部５９の端面が当接して重合状態を保持しているので、梱包箱１の端部の強度を更に高めることができる。
下板部側当接板部５９の端面が重合中間板部４３に当接することにより内面板部３５と重合中間板部４３との間には空間ができるので、例えば被収納部を収納した梱包箱の輸送中の急ブレーキや手荒な取扱いにより被収納物が梱包箱内を移動して内面板部３５にぶつかった場合に、内面板部３５が変形しても重合中間板部４３や外面板部３１の変形を防止できる。
【００２３】
本発明は、上述した実施の形態に限らず、本発明の要旨を逸脱しない範囲で種々変形可能である。
例えば、一側中間板部２７と他側中間板部２９とはいずれを内側にして重合してもよい。
嵌合凹部１５は貫通孔に限らず、凹みであってもよい。
図８に示すように、嵌合突部３７は内面板部３５の一側板貼付け部２３側と他側板貼付け部２５側とに設け、一側板貼付け部２３と他側板貼付け部２５の各々に嵌合凹部１５を設けて、各嵌合突部３７と嵌合凹部１５を嵌合する構成としてもよい。尚、図８において、（ａ）は端板の展開図であり、（ｂ）は梱包箱を図２（ａ）のＢ−Ｂ位置で切断して示す断面図である。
また、嵌合突起３７は、内面板部３５の一側板貼付け部２３側と他側板貼付け部２５側とにも設け、嵌合凹部１５を各嵌合突起３７に対応して、下板貼付け部２１と、一側板貼付け部２３と、他側板貼付け部２５とに設けるものであってもよい。
第２実施の形態において、一側受け板部４７のみを設け、他側受け板部４９、一側支持板５１及び他側支持板部５３を設けないで、一側受け板部４７を一側板部９の上端に載置するようにしてもよい。
第４実施の形態において、内面板部３５に一側当接部５５と他側当接部５４とを設けずに、下板部側当接部５９のみを設け、下板部側当接部５９の端部のみが重合中間板部４３に当接するものであってもよい。
第３及び第４実施の形態において、重合中間板部４３と内面板部３５との間の空間に格子状に組んだ板材や積層した板材等の緩衝材を配置して梱包箱端部における緩衝機能や強度を高めるものものであってもよい。
【図面の簡単な説明】
【００２４】
【図１】第１実施の形態にかかる梱包箱の組立て工程を示す図である。
【図２】（ａ）は図１に示す梱包箱を組み立てた状態を示す斜視図であり、（ｂ）は（ａ）のＡ−Ａ位置で切断した断面図である。
【図３】（ａ）は第２実施の形態にかかる端板の展開図であり、（ｂ）は第２実施の形態にかかる梱包箱を図２（ａ）のＢ−Ｂ位置で切断すると共に上板部を除いて示す斜視図である。
【図４】（ａ）は第２実施の形態にかかる梱包箱を図２（ａ）のＡ−Ａ位置で切断した断面図であり、（ｂ）は第２実施の形態にかかる梱包箱を図２（ａ）のＣ−Ｃ線の位置で切断した断面図である。
【図５】（ａ）は第３実施の形態にかかる端板の展開図であり、（ｂ）は第３実施の形態にかかる梱包箱を図２（ａ）のＢ−Ｂ位置で切断すると共に上板部を除いて示す斜視図である。
【図６】第３実施の形態にかかる梱包箱を図２（ａ）のＡ−Ａ位置で切断した断面図である。
【図７】（ａ）は第４実施の形態にかかる端板の展開図であり、（ｂ）は第４実施の形態にかかる梱包箱を図２（ａ）のＡ−Ａ位置で切断した断面図である。
【図８】（ａ）は変形例にかかる端板の展開図であり、（ｂ）は変形例にかかる梱包箱を図２（ａ）のＢ−Ｂ位置で切断して示す断面図である。
【符号の説明】
【００２５】
１      梱包箱
３      巻板
５      端板
７      下板部
９      一側板部
１１    他側板部
１３    上板部
１５    嵌合凹部
２１    下板貼付け部
２３    一側板貼付け部
２５    他側板貼付け部
２７    一側中間板部
２９    他側中間板部
３１    外面板部
３３    端上面板部
３５    内面板部
３７    嵌合突起
３９    係合凹部
４１    被係合凹部
４３    重合中間板部
４７    一側受け板部
４９    他側受け板部
５１    一側支持板部
５３    他側支持板部
５５    一側当接板部
５７    他側当接板部
５９    下板部側当接板部
【図１】
2006137429.tif 000003
【図２】
2006137429.tif 000004
【図３】
2006137429.tif 000005
【図４】
2006137429.tif 000006
【図５】
2006137429.tif 000007
【図６】
2006137429.tif 000008
【図７】
2006137429.tif 000009
【図８】
2006137429.tif 000010